(57)【要約】【課題】本発明は、免震装置における原点復帰装置に関し、構造が簡易で人の熟練度を要さず、コストも低減できるものを提供することが課題である。【解決手段】建物２の上側構造物３と、地盤に支持された基礎部若しくは下側構造物４と、の間に免震装置を介在させてなる建物において、前記上側構造物を地震前の原点位置に復帰させる、対向配置にした一対の磁石装置５，６を前記上側構造物と前記基礎部若しくは下側構造物との間に複数箇所に設けて、磁力による吸引力で前記上側構造物３を原点位置に復帰させるようにした免震装置における原点復帰装置１である。【選択図】図１
2007239197.tif 000002
【特許請求の範囲】
【請求項１】
建物の上側構造物と、地盤に支持された基礎部若しくは下側構造物と、の間に免震装置を介在させてなる建物において、前記上側構造物を地震前の原点位置に復帰させる、対向配置にした一対の磁石装置を前記上側構造物と前記基礎部若しくは下側構造物との間に複数箇所に設けて、磁力による吸引力で前記上側構造物を原点位置に復帰させること、
を特徴とする免震装置における原点復帰装置。
【請求項２】
磁石装置は、建物の四隅のそれぞれにおいて、角部の略直交する２辺に沿った近傍で二カ所に設けられていること、
を特徴とする請求項１に記載の免震装置における原点復帰装置。
【請求項３】
一対の磁石装置のうち、下側の磁石装置は上下方向に移動自在にして基礎部若しくは下側構造物に設けられたガイド保持手段によって保持されていること、
を特徴とする請求項１または２に記載の免震装置における原点復帰装置。
【請求項４】
磁石装置は、筒状で片方の開口部が閉蓋された筒体のヨークの中に、永久磁石と電磁石との組合せによってなる、リフティングマグネットであること、
を特徴とする請求項１乃至３のいずれかに記載の免震装置における原点復帰装置。
【発明の詳細な説明】
【技術分野】
【０００１】
本発明は、免震装置を備えた建物において、地震後に建物が元の位置に戻るようにするものであって、特に、高層マンションにおいて中間層に免震装置がある場合に、原点位置との復帰誤差が生じないようにした免震装置における原点復帰装置に関するものである。
【背景技術】
【０００２】
従来、建物と地盤との間に積層ゴム等による免震装置を備えて、地震時の揺れを吸収するものが知られている。前記積層ゴムにより地震があった時には、地盤の揺れが上部の建物に伝わらず、揺れによる被害を最小に押さえるものである。地震が収まった後は、建物は、元の位置に戻る。しかしながら、前記地震が収まった後に、上側の構造物が元の位置に復帰しないことがある。これは、前記積層ゴムが履歴特性を有していて、外力が除去された後も変形が残るからである。特に高層マンション等で中間層に免震装置を設けている場合には、原点復帰しないと、外装仕上げが石やタイルの場合、若しくは、外装が免震階上下で通っている場合に、段違いができてしまい、不安感を与えて外観上見栄えが悪い。
【０００３】
そこで、地震後の建物を元の原点位置に復帰させる方法が提供されている。例えば、建物の位置を検出する手段と、建物を地盤に対して変位させる油圧シリンダと、該油圧シリンダに高圧油の供給を切り替える電磁弁と、原点に近い位置を建物の目標位置に設定する目標位置設定手段と、制御装置と、前記油圧シリンダを駆動させる信号を電磁弁に出力するサーボ増幅手段とを備えたものが知られている（特許文献１参照）。
【特許文献１】特開２００３−１５５８４０号公報
【発明の開示】
【発明が解決しようとする課題】
【０００４】
しかし、従来の免震装置における原点復帰装置では、例えば矩形状の建物の四隅に、油圧ジャッキを設け、地盤側に反力をとって人が操作して原点復帰させている、また、高層マンションの中間層では、下階側に反力ブロックを設けて、上階側に油圧ジャッキを設けて、操作しているので、建物を原点に復帰させるには何度も往復運動させる必要があって手間が掛かり、前記四隅の油圧ジャッキを同時に操作して原点位置に建物を移動させるには、かなりの熟練を要する。
【０００５】
また、地震後において、油圧ジャッキを反力ブロックと受けベースとの間にセットすることが困難となる場合もある。更に、油圧ジャッキが重く、これを人がセットするには困難が伴う等、数々の不都合がある。一方、制御装置でポテンションメータ等の相対変位検出器による検出値をフィードバックさせてサーボ制御する方法では、原点復帰用の装置全体が大がかりとなってコストが嵩み、地震頻発する地域以外ではランニングコストが高くなって、建物に原点復帰装置を採用すること自体が困難となる。
本発明に係る免震装置における原点復帰装置は、このような課題を解決するために提案されたものである。
【課題を解決するための手段】
【０００６】
本発明に係る免震装置における原点復帰装置の上記課題を解決して目的を達成するための要旨は、建物の上側構造物と、地盤に支持された基礎部若しくは下側構造物と、の間に免震装置を介在させてなる建物において、前記上側構造物を地震前の原点位置に復帰させる、対向配置にした一対の磁石装置を前記上側構造物と前記基礎部若しくは下側構造物との間に複数箇所に設けて、磁力による吸引力で前記上側構造物を原点位置に復帰させることである。
【０００７】
前記磁石装置は、建物の四隅のそれぞれにおいて、角部の略直交する２辺に沿った近傍で二カ所に設けられていること、；
前記一対の磁石装置のうち、下側の磁石装置は上下方向に移動自在にして基礎部若しくは下側構造物に設けられたガイド保持手段によって保持されていること、；
前記磁石装置は、筒状で片方の開口部が閉蓋された筒体のヨークの中に、永久磁石と電磁石との組合せによってなる、リフティングマグネットであること、；
を含むものである。
【発明の効果】
【０００８】
本発明の免震装置における原点復帰装置によれば、地震が収まった後に、原点位置に対して若干の位置ズレがあった場合に、建物の４隅にある磁石装置に電気を通電させると、一対の磁石装置は互いに引き合う異種の極となって、上部構造物を原点位置に復帰させるものであり、容易に原点位置に復帰させることができる。また、装置全体の構成も簡易で複雑になることもなく、電気配線も簡素である。よって、建物に設置するにも容易である。この原点復帰装置により、意匠デザイン上で中間層に免震装置を設けた高層マンションにおいても、地震後の上部構造物の位置ズレを容易に修正して、外観上において見栄え良く維持できて人々に不安感を与えない。
【０００９】
また、磁石装置を建物の４隅にそれぞれ、二カ所設けることで、建物を原点位置に均等な力で移動させることができる。そして、一対の磁石装置のうち下側の磁石装置を上下方向に移動自在にすることで、磁石装置同士が接近して強力な吸引力が働くようになる。
前記磁石装置がハイブリット式のリフティングマグネットであることで、強力な吸引力が期待できる。
【発明を実施するための最良の形態】
【００１０】
本発明に係る免震装置における原点復帰装置１は、図１乃至図２に示すように、建物２の上側構造物３と、地盤に支持された基礎部若しくは下側構造物４と、の間に免震装置（図示せず）を介在させてなる建物において設けられるものである。
【００１１】
一対の磁石装置５，６を前記上側構造物３と前記基礎部若しくは下側構造物４との間に、図２（Ａ）に示すように、４隅のそれぞれにおいて、角部の略直交する２辺ａ，ｂに沿った近傍で２所に設けられている。
【００１２】
一対の磁石装置５，６のうち、下側の磁石装置６は上下方向に移動自在にして、基礎部若しくは下側構造物４に設けられた、コンクリート製又は鋼製で筒状体のガイド保持手段７によって保持されている。
【００１３】
前記磁石装置５，６は、図２（Ｂ）に示すように、筒状で片方の開口部が閉蓋された筒体のヨーク８の中に、永久磁石９と電磁石１０との組合せによってなる、通称でリフティングマグネットと称されるものである。このマグネットは、電磁石１０に通電する電流の所定方向の流れにより、前記永久磁石９の磁力と協同して、磁石装置５，６として強力な吸引力を発揮する一方で、前記永久磁石９の磁力を打ち消す磁力１１が発生する、前述とは逆方向の電流を前記電磁石１０に通電することで、当該磁石装置５，６としては吸引力を発揮しないという、ものである。
【００１４】
第２実施例に係る原点復帰装置１ａは、図３に示すように、上側構造物３においては、永久磁石１２を固定し、その下端面にテフロン（登録商標）１３を貼着してなる。下側構造物４においては、前記第１実施例の場合と同様である。このように、上下両側に前記磁石装置５，６を設けなくとも、片側を永久磁石のみとすることもできる。前記テフロン（登録商標）により、磁石装置の吸着状態での水平方向の移動をスムーズにするものである。
【００１５】
また、第３実施例として、磁石装置の配置数に関しては、建物２の四隅において、原点復帰装置１として、図５に示すように、大型の前記リフティングマグネット５または６を１個で配置する場合と、図６に示すように、１カ所に４個のリフティングマグネット５または６として複数個配置する場合もある。建物２の重量などにより、適切な磁石装置の配置構造とするものである。
【００１６】
以上のようにしてなる免震装置における原点復帰装置１を使用することで、例えば、地震後において、図３に示すように、略２０ｍｍ程度の位置ズレがあった場合に、建物２の内部に居る人々に位置ズレ修正を行うことを告知する。その後に、担当者が原点復帰装置１用の電気配線で、スイッチを入れて所定方向に電流を流して磁石装置５，６に通電する。これにより、上側構造物３の磁石装置５がＮ極（またはＳ極）で、下側構造物４の磁石装置６がＳ極（またはＮ極）となり、互いに強く吸引される。
【００１７】
前記下側構造物４の磁石装置６が、上下方向に移動自在なので、ガイド保持手段７により案内されて水平方向には移動しないで上に持ち上がり、上側構造物３の磁石装置５に吸着される。これによって、図４に示すように、建物２の上側構造物３が原点位置に復帰する。
【００１８】
前記原点位置に上側構造物３が復帰した後に、前記スイッチを逆側に入れる。すると、前記磁石装置５，６において、電流の流れが逆となって磁力１１によって永久磁石９の磁力が打ち消され、当該磁石装置５，６の吸引力が消滅する。これにより、下側構造物４の磁石装置６は、磁石装置５から離隔されて下位置に戻る。こうして、前記磁石装置５，６も原点位置で元の状態に復帰する。なお、この原点復帰装置１に、弱い電流値で通電しておいて、強風時の建物２のわずかな揺れを、防止するようにすることもできる。これにより、風の影響から強い地震までに対応する原点復帰装置１となる。
【図面の簡単な説明】
【００１９】
【図１】本発明に係る免震装置における原点復帰装置１の構造を示す縦断面図である。
【図２】同本発明の免震装置における原点復帰装置１の建物２に対する配置を示す説明用平面図（Ａ）と、リフティングマグネットの構造を示す縦断面図（Ｂ）とである。
【図３】本発明の第２実施例に係る原点復帰装置１ａの縦断面図である。
【図４】同第２実施例に係る原点復帰装置１ａの使用状態を示す説明図である。
【図５】原点復帰装置１における磁石装置の配置の例を示す平面図である。
【図６】原点復帰装置１における磁石装置の配置の例を示す平面図である。
【符号の説明】
【００２０】
１          免震装置における原点復帰装置、
２          建物、
３          上側構造物、
４          下側構造物、
５，６      磁石装置、
７          ガイド保持手段、
８          ヨーク、
９          永久磁石、            
１０        電磁石、               １０ａ      鉄心、
１０ｂ      コイル、
１１        磁力、
１２        永久磁石、
１３        テフロン（登録商標）。
【図１】
2007239197.tif 000003
【図２】
2007239197.tif 000004
【図３】
2007239197.tif 000005
【図４】
2007239197.tif 000006
【図５】
2007239197.tif 000007
【図６】
2007239197.tif 000008